【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
光学的に等方性の液晶相で駆動させる素子に用いられ、ネマチック相を発現しない、光学的に等方性の液晶組成物。
【請求項２】
光学的に等方性の液晶相が二色以上の回折光を示さない、請求項１に記載の液晶組成物。
【請求項３】
光学的に等方性の液晶相が二色以上の回折光を示す、請求項１に記載の液晶組成物。
【請求項４】
透明点Ｔ１の化合物１と、透明点Ｔ２の化合物２とを含む、透明点がＴｘの液晶組成物であって、
液晶組成物に対して化合物１を１０〜８０重量％および化合物２を２０〜９０重量％含み、
透明点Ｔ１と透明点Ｔ２と液晶組成物の透明点Ｔｘとが、
Ｔ１＞Ｔ２
Ｔ１−Ｔｘ≧１００℃
を満たす、請求項２または３に記載の液晶組成物。
【請求項５】
透明点Ｔ１の化合物１と、透明点Ｔ２の化合物２とを含む、透明点がＴｘの液晶組成物であって、
液晶組成物に対して化合物１を５〜７０重量％および化合物２を３０〜９５重量％含み、
透明点Ｔ１と透明点Ｔ２と液晶組成物の透明点Ｔｘとが、
Ｔ１＞Ｔ２
Ｔ１−Ｔｘ≧１５０℃
を満たす、請求項２または３に記載の液晶組成物。
【請求項６】
透明点Ｔ１の化合物１と、透明点Ｔ２の化合物２とを含む、透明点がＴｘの液晶組成物であって、
液晶組成物に対して化合物１を５〜７０重量％および化合物２を３０〜９５重量％含み、
透明点Ｔ１と透明点Ｔ２と液晶組成物の透明点Ｔｘとが、
Ｔ１＞Ｔ２
Ｔ１−Ｔｘ≧２００℃
を満たす、請求項２または３に記載の液晶組成物。
【請求項７】
透明点Ｔ１の化合物１と、透明点Ｔ２の化合物２とを含む、透明点がＴｘの液晶組成物であって、
液晶組成物に対して化合物１を１０〜８０重量％および化合物２を２０〜９０重量％含み、
透明点Ｔ１と透明点Ｔ２と液晶組成物の透明点Ｔｘとが、
Ｔ１＞Ｔ２
Ｔ１−Ｔｘ≧１００℃
を満たし、
キラルネマチック相と非液晶等方相とが共存する上限温度と下限温度との差が３℃〜１５０℃である組成物に、さらにキラル剤を添加して得られる、請求項２または３に記載の液晶組成物。
【請求項８】
透明点Ｔ１の化合物１と、透明点Ｔ２の化合物２とを含む、透明点がＴｘの液晶組成物であって、
液晶組成物に対して化合物１を５〜７０重量％および化合物２を３０〜９５重量％含み、
透明点Ｔ１と透明点Ｔ２と液晶組成物の透明点Ｔｘとが、
Ｔ１＞Ｔ２
Ｔ１−Ｔｘ≧１５０℃
を満たし、
キラルネマチック相と非液晶等方相とが共存する上限温度と下限温度との差が３℃〜１５０℃である組成物に、さらにキラル剤を添加して得られる、請求項２または３に記載の液晶組成物。
【請求項９】
液晶組成物に対して化合物１を３０〜６０重量％、および、化合物２を３０〜７０重量％含む、請求項７に記載の液晶組成物。
【請求項１０】
化合物１が、下記一般式（１）
【化１】
2007277531.tif 000001
（式中、Ｒａは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；
Ｒｂは水素、ハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ２−は−Ｏ−、−Ｓ−または−ＮＨ−で置き換えられてもよく、−ＣＨ＝は−Ｎ＝で置き換えられてもよいが、Ａ１〜Ａ５がテトラヒドロピラン環であることはなく、；
Ｚ１〜Ｚ４は独立に単結合、炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ｚ４が−ＣＯＯ−である場合は、ｎ２とｎ３が１であり、Ａ４またはＡ５の少なくとも一つが炭素数９以上の縮合環である場合のみｎ１〜ｎ３すべてが０となりうる。）
で表され、透明点が１５０℃〜４００℃である化合物である、請求項４〜９のいずれか１項に記載の液晶組成物。
【請求項１１】
Ｒａは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−または−Ｃ≡Ｃ−で置き換えられてもよく；
Ｒｂはハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−ＣＨ＝ＣＨ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立にベンゼン環、ナフタレン環またはシクロヘキサン環であり、これらの環の任意の水素がハロゲン、炭素数１〜３のアルキル、またはハロゲン化アルキルで置き換えられてもよく、環の−ＣＨ２−は−Ｏ−または−Ｓ−で置き換えられてもよく、−ＣＨ＝は−Ｎ＝で置き換えられてもよく；
Ｚ１〜Ｚ４は独立に単結合、炭素数１〜４のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ａ４またはＡ５の少なくとも一つが炭素数９以上の縮合環である場合のみｎ１〜ｎ３すべてが０となりうる、
請求項１０に記載の液晶組成物。
【請求項１２】
Ｒａが炭素数１〜１０のアルキルであり、このアルキル中の任意の−ＣＨ２−は、−ＣＨ＝ＣＨ−または−Ｃ≡Ｃ−で置き換えられてもよく；
Ｒｂはフッ素、塩素、−ＣＮ、−Ｎ＝Ｃ＝Ｓまたは炭素数１〜２０のアルキルであり、このアルキル中の任意の−ＣＨ２−は、−Ｏ−、−ＣＨ＝ＣＨ−または−Ｃ≡Ｃ−で置き換えられてもよく；
Ａ１〜Ａ５が独立にベンゼン環、ナフタレン環またはシクロヘキサン環であり、これらの環の任意の水素がフッ素または塩素、メチル、またはハロゲン化メチルで置き換えられてもよく、−ＣＨ２−は−Ｏ−または−Ｓ−で置き換えられてもよく、−ＣＨ＝は−Ｎ＝で置き換えられてもよく；
Ｚ１〜Ｚ４は独立に単結合または−Ｃ≡Ｃ−であり；
ｎ１〜ｎ３は独立に０または１であり、Ｒｂが水素またはフッ素の場合はｎ２およびｎ３は１であり、Ａ４またはＡ５の少なくとも一つが炭素数９以上の縮合環である場合のみｎ１〜ｎ３すべてが０となりうる、
請求項１０に記載の液晶組成物。
【請求項１３】
Ｒａが炭素数１〜１０のアルキルであり、このアルキル中の任意の−ＣＨ２−は、−Ｏ−または−ＣＨ＝ＣＨ−で置き換えられてもよく；
Ｒｂがフッ素、塩素、−ＣＮ、または炭素数１〜１０のアルキルであり、このアルキル中の任意の−ＣＨ２−は、−Ｏ−で置き換えられてもよく；
Ａ１〜Ａ５が独立にベンゼン環、ジオキサン環またはシクロヘキサン環であり、ベンゼン環の任意の水素がフッ素で置き換えられてもよく；
Ｚ１〜Ｚ４は独立に単結合または−Ｃ≡Ｃ−であり；
ｎ１が１、ｎ２とｎ３が０である、
請求項１０に記載の液晶組成物。
【請求項１４】
化合物２が、下記一般式（２）
【化２】
2007277531.tif 000002
（式中、Ｒｃは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｒｄはハロゲン、−ＣＮ、−Ｎ＝Ｃ＝Ｏ、−Ｎ＝Ｃ＝Ｓ、−ＣＦ３、−ＯＣＦ３、−Ｃ≡Ｃ−ＣＮ、または−Ｃ≡Ｃ−ＣＦ３であり；
Ａ６とＡ７は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ２−は−Ｏ−、−Ｓ−または−ＮＨ−で置き換えられてもよく、−ＣＨ＝は−Ｎ＝で置き換えられてもよく；
Ｚ６は単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；
ｎ６は０または１であり、Ａ７が炭素数９以上の縮合環である場合、ｎ６は０である。）
で表される化合物である
請求項１０〜１３のいずれか１項に記載の液晶組成物。
【請求項１５】
Ｒｃは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−または−Ｃ≡Ｃ−で置き換えられてもよく；
Ｒｄはハロゲン、−ＣＮ、−Ｎ＝Ｃ＝Ｓ、−ＣＦ３、−Ｃ≡Ｃ−ＣＮ、−Ｃ≡Ｃ−ＣＦ３であり；
Ａ６とＡ７は独立にベンゼン環、ナフタレン環、シクロヘキサン環であり、これらの環の任意の水素がハロゲン、炭素数１〜３のアルキル、またはハロゲン化アルキルで置き換えられてもよく、この環の任意の−ＣＨ２−は−Ｏ−または−Ｓ−で置き換えられてもよく、−ＣＨ＝は−Ｎ＝で置き換えられてもよく；
Ｚ６は単結合、炭素数１〜４のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；
ｎ６は０または１であり、Ａ７がナフタレン環である場合、ｎ６は０である、
請求項１０〜１３のいずれか１項に記載の液晶組成物。
【請求項１６】
Ｒｃは炭素数１〜１０のアルキルであり、このアルキル中の任意の−ＣＨ２−は、−ＣＨ＝ＣＨ−または−Ｃ≡Ｃ−で置き換えられてもよく；
Ｒｄはハロゲン、−ＣＮ、−Ｎ＝Ｃ＝Ｓ、−ＣＦ３、−Ｃ≡Ｃ−ＣＮ、−Ｃ≡Ｃ−ＣＦ３であり；
Ａ６とＡ７は独立にベンゼン環、ナフタレン環、シクロヘキサン環であり、これらの環の任意の水素がフッ素または塩素、メチル、またはハロゲン化メチルで置き換えられてもよく、この環の任意の−ＣＨ２−は−Ｏ−または−Ｓ−で置き換えられてもよく、−ＣＨ＝は−Ｎ＝で置き換えられてもよく；
Ｚ６は単結合、−ＣＯＯ−、−ＣＦ２Ｏ−または−Ｃ≡Ｃ−であり；
ｎ６は０または１であり、Ａ７がナフタレン環である場合は０である、
請求項１０〜１３のいずれか１項に記載の液晶組成物。
【請求項１７】
Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６とＡ７は独立にベンゼン環、ジオキサン環またはシクロヘキサン環であり、ベンゼン環の任意の水素がフッ素で置き換えられてもよく；
Ｚ６は単結合または−ＣＯＯ−であり；
ｎ６は０または１であり、
請求項１０〜１３のいずれか１項に記載の液晶組成物。
【請求項１８】
化合物２が、下記一般式（３）
【化３】
2007277531.tif 000003
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；
Ｚ１２は単結合、−ＣＯＯ−または−Ｃ≡Ｃ−であり；
Ｌ８〜Ｌ１１は独立して水素またはフッ素である。）
で表される化合物である、請求項１０〜１３のいずれか１項に記載の液晶組成物。
【請求項１９】
Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素である、
請求項１０〜１３のいずれか１項に記載の液晶組成物。
【請求項２０】
キラルネマチック相と非液晶等方相とが共存する上限温度と下限温度との差が３℃〜１５０℃である組成物に、さらにキラル剤を添加して得られる、請求項２または３に記載の液晶組成物。
【請求項２１】
キラルネマチック相と非液晶等方相とが共存する上限温度と下限温度との差が５℃〜１５０である組成物に、さらにキラル剤を添加して得られる、請求項２または３に記載の液晶組成物。
【請求項２２】
ネマチック相と非液晶等方相とが共存する上限温度と下限温度との差が３℃〜１５０℃である組成物に、さらにキラル剤を添加して得られる、請求項２または３に記載の液晶組成物。
【請求項２３】
液晶組成物の全重量に対して、キラル剤を１〜４０重量％含む、請求項１〜２２のいずれか１項に記載の液晶組成物。
【請求項２４】
液晶組成物の全重量に対して、キラル剤を５〜１５重量％含む、請求項１〜２２のいずれか１項に記載の液晶組成物。
【請求項２５】
ピッチが７００ｎｍ以下である、請求項２３または２４に記載の液晶組成物。
【請求項２６】
キラル剤が、下記式（Ｋ１）〜（Ｋ５）
【化４】
2007277531.tif 000004
（式（Ｋ１）〜（Ｋ５）中、
ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；
Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
Ｘは独立に、単結合、−ＣＯＯ−、−ＣＨ２Ｏ−、−ＣＦ２Ｏ−、−ＣＨ２ＣＨ２−であり；
ｍは独立に、１〜４である。）
で表される化合物を１種以上含む、請求項２３〜２５のいずれか１項に記載の液晶組成物。
【請求項２７】
キラル剤が、下記式（Ｋ２−１）〜（Ｋ２−８）および（Ｋ５−１）〜（Ｋ５−３）
【化５】
2007277531.tif 000005
【化６】
2007277531.tif 000006
【化７】
2007277531.tif 000007
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含む、請求項２３〜２５のいずれか１項に記載の液晶組成物。
【請求項２８】
透明点Ｔ１の化合物１と、透明点Ｔ２の化合物２とキラル剤とを含む、透明点がＴｘの液晶組成物であって、
液晶組成物に対して化合物１を２０〜４０重量％、化合物２を２０〜６０重量％およびキラル剤を５〜２０重量％含み、
化合物１が下記一般式（１）
【化８】
2007277531.tif 000008
（式中、ＲａおよびＲｂは、それぞれ独立して炭素数１〜１０のアルキルであり、このアルキル中の任意の−ＣＨ２−は、−Ｏ−で置き換えられてもよく；
Ａ１〜Ａ４が独立にベンゼン環、ジオキサン環またはシクロヘキサン環であり、これらの環の任意の水素がフッ素で置き換えられてもよく、Ａ５がベンゼン環であり；
Ｚ１〜Ｚ４は独立に単結合または−Ｃ≡Ｃ−であり；
ｎ１が１、ｎ２とｎ３が０である）
で表される化合物であり、
化合物２が下記一般式（２）
【化９】
2007277531.tif 000009
（式中、Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６はベンゼン環またはシクロヘキサン環であり、これらの環の任意の水素がフッ素で置き換えられてもよく、Ａ７は独立にベンゼン環であり；
Ｚ６は単結合または−ＣＯＯ−であり；
ｎ６は１である。）
で表される化合物と、下記一般式（３）
【化１０】
2007277531.tif 000010
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物とからなり、
キラル剤が、下記式（Ｋ２−５）〜（Ｋ２−８）
【化１１】
2007277531.tif 000011
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１００℃
を満たし、
光学的に等方性の液晶相が二色以上の回折光を示さない光学的に等方性の相を有する液晶組成物。
【請求項２９】
透明点Ｔ１の化合物１と、透明点Ｔ２の化合物２とキラル剤とを含む、透明点がＴｘの液晶組成物であって、
液晶組成物に対して化合物１を８〜３０重量％、化合物２を４０〜６０重量％およびキラル剤を５〜２０重量％含み、
化合物１が下記一般式（１）
【化１２】
2007277531.tif 000012
（式中、Ｒａは、炭素数１〜１０のアルキルであり、このアルキル中の任意の−ＣＨ２−は、−Ｏ−で置き換えられてもよく；
Ａ１〜Ａ４が独立にベンゼン環、ジオキサン環またはシクロヘキサン環であり、これらベンゼン環の任意の水素がフッ素で置き換えられてもよく、Ａ５がベンゼン環であり；
Ｚ１〜Ｚ４は独立に単結合または−Ｃ≡Ｃ−であり；
ｎ１とｎ２が１、ｎ３が０である）
で表される化合物であり、
化合物２が下記一般式（３）
【化１３】
2007277531.tif 000013
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物であり、
キラル剤が、下記式（Ｋ２−５）〜（Ｋ２−８）
【化１４】
2007277531.tif 000014
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１５０℃
を満たし、
光学的に等方性の液晶相が二色以上の回折光を示す光学的に等方性の相を有する液晶組成物。
【請求項３０】
透明点Ｔ１の化合物１と、透明点Ｔ２の化合物２とキラル剤とを含む、透明点がＴｘの液晶組成物であって、
液晶組成物に対して化合物１を２０〜４０重量％、化合物２を２０〜６０重量％およびキラル剤を５〜２５重量％含み、
化合物１が下記一般式（１）
【化１５】
2007277531.tif 000015
（式中、Ｒａが炭素数１〜１０のアルキルであり、このアルキル中の任意の−ＣＨ２−は、−Ｏ−で置き換えられてもよく；
Ｒｂは、ハロゲン、−ＣＮ、−Ｎ＝Ｃ＝Ｏ、−Ｎ＝Ｃ＝Ｓ、−ＣＦ３、−ＯＣＦ３であり；
Ａ１〜Ａ４が独立にベンゼン環、ジオキサン環またはシクロヘキサン環であり、ベンゼン環の任意の水素がフッ素で置き換えられてもよく、Ａ５がベンゼン環であり；
Ｚ１〜Ｚ４は独立に単結合または−Ｃ≡Ｃ−であり；
ｎ１が１、ｎ２とｎ３が０である）
で表される化合物であり、
化合物２が下記一般式（２）
【化１６】
2007277531.tif 000016
（式中、Ｒｃは炭素数１〜１０のアルキルであり、このアルキル中の任意の−ＣＨ２−は、−Ｏ−で置き換えられてもよく；
Ｒｄはハロゲン、−ＣＮであり；
Ａ６はベンゼン環またはシクロヘキサン環であり、これらの環の任意の水素がフッ素で置き換えられてもよく、Ａ７は独立にベンゼン環であり；
Ｚ６は単結合または−ＣＯＯ−であり；
ｎ６は１である。）
で表される化合物と、下記一般式（３）
【化１７】
2007277531.tif 000017
（式中、Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；
Ｚ１２は−ＣＯＯ−であり、
Ｌ８〜Ｌ１１は独立して水素またはフッ素であり、それらの少なくとも２個以上がフッ素であり、Ｌ１０およびＬ１１のうち少なくとも１つはフッ素である。）
で表される化合物とからなり、
キラル剤が、下記式（Ｋ２−５）〜（Ｋ２−８）
【化１８】
2007277531.tif 000018
（ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）
で表される化合物を１種以上含み、
透明点Ｔ１と透明点Ｔ２と液晶組成物の透明点Ｔｘとが、
Ｔ１＞Ｔ２
Ｔ１−Ｔｘ≧１００℃
を満たし、
光学的に等方性の液晶相が二色以上の回折光を示さない光学的に等方性の相を有する液晶組成物。
【請求項３１】
一方または両方の面に電極が配置され、
基板間に配置された液晶組成物、および
電極を介して液晶組成物に電界を印加する電界印加手段を備えた液晶素子であって、
前記液晶組成物が、請求項１〜３０のいずれか１項に記載の液晶組成物である液晶素子。
【請求項３２】
一方または両方の面に電極が配置され、少なくとも一方が透明な一組の基板、
基板間に配置された液晶組成物、および
基板の外側に配置された偏光板
を有し、電極を介して液晶組成物に電界を印加する電界印加手段を備えた液晶素子であって、
前記液晶組成物が、請求項１〜３０のいずれか１項に記載の液晶組成物である液晶素子。
【請求項３３】
一組の基板の少なくとも一方の基板上において、少なくとも２方向に電界を印加できるように電極が構成されている請求項３２に記載の液晶素子。
【請求項３４】
互いに平行に配置された一組の基板の一方または両方に、少なくとも２方向に電界を印加できるように電極が構成されている請求項３２に記載の液晶素子。
【請求項３５】
電極がマトリックス状に配置されて、画素電極を構成し、各画素がアクティブ素子を備え、このアクティブ素子が薄膜トランジスター（ＴＦＴ）である請求項３１〜３４のいずれか１項に記載の液晶素子。
【請求項３６】
透明点Ｔ１の化合物１と、透明点Ｔ２の化合物２とを含む、透明点がＴｘの液晶組成物であって、
液晶組成物に対して化合物１を１０〜８０重量％および化合物２を２０〜９０重量％含み、
透明点Ｔ１と透明点Ｔ２と液晶組成物の透明点Ｔｘとが、
Ｔ１＞Ｔ２
Ｔ１−Ｔｘ≧１００℃
を満たす、光学的に等方性の液晶相で駆動させる素子に用いられる液晶組成物。
【請求項３７】
キラルネマチック相と非液晶等方相とが共存する上限温度と下限温度との差が３℃〜１５０℃である、光学的に等方性の液晶相で駆動させる素子に用いられる液晶組成物の成分である液晶組成物。
【請求項３８】
キラルネマチック相と非液晶等方相とが共存する上限温度と下限温度との差が３℃〜１５０℃である、請求項３６に記載の液晶組成物。
【請求項３９】
化合物１が、下記一般式（１）
【化１９】
2007277531.tif 000019
（式中、Ｒａは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル基中の任意の水素はハロゲンで置き換えられてもよく；
Ｒｂは水素、ハロゲン、−ＣＮ、−Ｎ＝Ｃ＝Ｏ、−Ｎ＝Ｃ＝Ｓ、−ＣＦ３、−ＯＣＦ３または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ａ１〜Ａ５は独立に芳香族性あるいは非芳香族性の３〜８員環、または炭素数９以上の縮合環であり、これらの環の任意の水素がハロゲン、炭素数１〜３のアルキル、またはハロゲン化アルキルで置き換えられてもよく、環の−ＣＨ２−は−Ｏ−、−Ｓ−または−ＮＨ−で置き換えられてもよく、−ＣＨ＝は−Ｎ＝で置き換えられてもよいが、Ａ１〜Ａ５がテトラヒドロピラン環であることはなく、；
Ｚ１〜Ｚ４は独立に単結合、炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；
ｎ１〜ｎ３は独立に０または１であり、Ｒｂが水素またはフッ素の場合はｎ２およびｎ３は１であり、Ｚ４が−ＣＯＯ−である場合は、ｎ２とｎ３が１であり、Ａ４またはＡ５の少なくとも一つが炭素数９以上の縮合環である場合のみｎ１〜ｎ３すべてが０となりうる。）
で表され透明点が１５０℃〜４００℃である化合物である、請求項３６または３８に記載の液晶組成物。
【請求項４０】
化合物２が、下記一般式（２）
【化２０】
2007277531.tif 000020
（式中、Ｒｃは水素、炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｒｄはハロゲン、−ＣＮ、−Ｎ＝Ｃ＝Ｏ、−Ｎ＝Ｃ＝Ｓ、−ＣＦ３、−ＯＣＦ３、−Ｃ≡Ｃ−ＣＮ、または−Ｃ≡Ｃ−ＣＦ３であり；
Ａ６とＡ７は独立に芳香族性あるいは非芳香族性の３〜８員環、または炭素数９以上の縮合環であり、この環の任意の水素がハロゲン、炭素数１〜３のアルキル、またはハロゲン化アルキルで置き換えられてもよく、この環の任意の−ＣＨ２−は−Ｏ−、−Ｓ−または−ＮＨ−で置き換えられてもよく、−ＣＨ＝は−Ｎ＝で置き換えられてもよく；
Ｚ６は単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、このアルキレン中の任意の水素はハロゲンで置き換えられてもよく；
ｎ６は０または１であり、Ａ７が炭素数９以上の縮合環である場合、ｎ６は０である。）
で表される化合物である
請求項３６、３８または３９に記載の液晶組成物。
【請求項４１】
化合物２が、下記一般式（３）
【化２１】
2007277531.tif 000021
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；
Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；
Ｚ１２は単結合、−ＣＯＯ−または−Ｃ≡Ｃ−であり；
Ｌ８〜Ｌ１１は独立して水素またはフッ素である。）
で表される化合物である、請求項３６または３８〜４０のいずれか１項に記載の液晶組成物。
【手続補正２】
【補正対象書類名】明細書
【補正対象項目名】００１４
【補正方法】変更
【補正の内容】
【００１４】
［１８］  化合物２が、下記一般式（３）
【化２２】
2007277531.tif 000022
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；Ｚ１２は単結合、−ＣＯＯ−または−Ｃ≡Ｃ−であり；Ｌ８〜Ｌ１１は独立して水素またはフッ素である。）で表される化合物である、［１０］〜［１３］のいずれか１項に記載の液晶組成物。
［１９］  Ｒｅは炭素数１〜１０のアルキルであり、このアルキル中の任意の−ＣＨ２−は、−Ｏ−、−ＣＨ＝ＣＨ−または−Ｃ≡Ｃ−で置き換えられてもよく；
Ｘａはフッ素または−ＣＮであり；Ｚ１２は−ＣＯＯ−であり、Ｌ８〜Ｌ１１は独立して水素またはフッ素であり、それらの少なくとも２個以上がフッ素である、［１０］〜［１３］のいずれか１項に記載の液晶組成物。
【手続補正３】
【補正対象書類名】明細書
【補正対象項目名】００１６
【補正方法】変更
【補正の内容】
【００１６】
［２６］  キラル剤が、下記式（Ｋ１）〜（Ｋ５）
【化２３】
2007277531.tif 000023
（式（Ｋ１）〜（Ｋ５）中、ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；Ｘは独立して、単結合、−ＣＯＯ−、−ＣＨ２Ｏ−、−ＣＦ２Ｏ−、−ＣＨ２ＣＨ２−であり；ｍは独立して、１〜４である。）
で表される化合物を１種以上含む、［２３］〜［２５］のいずれか１項に記載の液晶組成物。
【手続補正４】
【補正対象書類名】明細書
【補正対象項目名】００２３
【補正方法】変更
【補正の内容】
【００２３】
［４１］  化合物２が、下記一般式（３）
【化２４】
2007277531.tif 000024
（式中、Ｒｅは炭素数１〜１０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３であり；Ｚ１２は単結合、−ＣＯＯ−または−Ｃ≡Ｃ−であり；Ｌ８〜Ｌ１１は独立して水素またはフッ素である。）で表される化合物である、［３６］または［３８］〜［４０］のいずれか１項に記載の液晶組成物。
【手続補正５】
【補正対象書類名】明細書
【補正対象項目名】００３６
【補正方法】変更
【補正の内容】
【００３６】
式（２）中、Ｒｄはハロゲン、−ＣＮ、−Ｎ＝Ｃ＝Ｏ、−Ｎ＝Ｃ＝Ｓ、−ＣＦ３、−ＯＣＦ３−、−Ｃ≡Ｃ−ＣＮ、または−Ｃ≡Ｃ−ＣＦ３である。これらの中でも、Ｒｄは好ましくは、ハロゲン、−ＣＮ、−Ｎ＝Ｃ＝Ｓ、−ＣＦ３、−Ｃ≡Ｃ−ＣＮ、−Ｃ≡Ｃ−ＣＦ３である。
【手続補正６】
【補正対象書類名】明細書
【補正対象項目名】００４１
【補正方法】変更
【補正の内容】
【００４１】
式（３）中、Ｘａはフッ素、塩素、−ＣＮ、−Ｎ＝Ｃ＝Ｓ、−ＣＦ３、−Ｃ≡Ｃ−ＣＮまたは−Ｃ≡Ｃ−ＣＦ３である。
【手続補正７】
【補正対象書類名】明細書
【補正対象項目名】００４９
【補正方法】変更
【補正の内容】
【００４９】
式（Ｋ１）〜（Ｋ５）中、ＲＫは独立に、水素、ハロゲン、−ＣＮ、−Ｎ＝Ｃ＝Ｏ、−Ｎ＝Ｃ＝Ｓまたは炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、このアルキル中の任意の水素はハロゲンで置き換えられてもよく；Ａは独立に、芳香族性あるいは非芳香族性の３ないし８員環、または、炭素数９以上の縮合環であり、これらの環の任意の水素がハロゲン、炭素数１〜３のアルキルまたはハロアルキルで置き換えられてもよく、−ＣＨ２−は−Ｏ−、−Ｓ−または−ＮＨ−で置き換えられてもよく、−ＣＨ＝は−Ｎ＝で置き換えられてもよく；Ｚは独立に、単結合、炭素数１〜８のアルキレンであるが、任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−または−Ｃ≡Ｃ−で置き換えられてもよく、任意の水素はハロゲンで置き換えられてもよく；Ｘは独立して、単結合、−ＣＯＯ−、−ＣＨ２Ｏ−、−ＣＦ２Ｏ−、−ＣＨ２ＣＨ２−であり；ｍは独立して、１〜４である。
【手続補正８】
【補正対象書類名】明細書
【補正対象項目名】００５０
【補正方法】変更
【補正の内容】
【００５０】
これらの中でも、液晶組成物Ｂに添加されるキラル剤としては、式（Ｋ２）に含まれる式（Ｋ２−１）〜式（Ｋ２−８）、および、式（Ｋ５−１）〜式（Ｋ５−３）が好ましい（式中、ＲＫは独立に、炭素数３〜１０のアルキルであり、このアルキル中の環に隣接する−ＣＨ２−は−Ｏ−で置き換えられてもよく、任意の−ＣＨ２−は、−ＣＨ＝ＣＨ−で置き換えられてもよい。）。
【手続補正９】
【補正対象書類名】明細書
【補正対象項目名】００７８
【補正方法】変更
【補正の内容】
【００７８】
化合物１である化合物ａの透明点であるＮ−Ｉ点（Ｔ１）は２０２℃であった。
同様に、化合物１である化合物ａの透明点であるＮ−Ｉ点（Ｔ１）は２０２℃であった。
同様に、液晶組成物Ａ−３〜Ａ−７におけるＴ１−Ｔｘは以下のとおりであった。
液晶組成物Ａ−５：  Ｔ１−Ｔｘ＝２０２℃−５７℃＝１４５℃
液晶組成物Ａ−６：  Ｔ１−Ｔｘ＝２０２℃−４８℃＝１５４℃
液晶組成物Ａ−７：  Ｔ１−Ｔｘ＝２０２℃−４１℃＝１６１℃